(57)【要約】【課題】  回路基板を簡単に取付け、取外しできる収納ケースを得る。【解決手段】  両端に開口部を有する四角い枠の対向する内面に基板取付部を対向して設け、対向した基板取付部に回路基板の挿入部Ａと収納部Ｂを設ける。挿入部Ａは挿入開口部６側に挿入口１１を有し、対向開口部７側では収納部Ｂと合流する。また、合流地点Ｄの両側には壁面１２ａと壁面１３ａからなる第１のガイド手段を設ける。また、挿入口１１の近傍で挿入部Ａと収納部Ｂの間に突起部１８なる外れ防止手段を設ける。収納部Ｂには片側に壁面１５ａなる第２のガイド手段を設け、回路基板の挿入先端と後端にあたる部位に壁面１６ａ、壁面１７ａからなる第３のガイド手段を設ける。そして、挿入部Ａに挿入した回路基板に押圧力をかけ、外れ防止手段を乗り越えさせて収納部Ｂに収納する。【選択図】    図３
2008300654.tif 000002
【特許請求の範囲】
【請求項１】
両端に開口部を有する四角い筒状の枠の内部に各種の電子部品が実装された回路基板を収納する回路基板の収納ケースにおいて、
前記枠の両端の開口部で前記回路基板を挿入する側の開口部を挿入開口部、該挿入開口部と反対側にある開口部を対向開口部とすると、
前記収納ケースは、前記回路基板毎に基板取付部を有し、該基板取付部は前記挿入開口部と前記対向開口部との間に前記回路基板を収納する収納部と該収納部に隣接して前記回路基板を挿入する挿入部を有し、
前記挿入開口部側では、前記挿入部は挿入口を有して前記収納部と分かれており、
前記対向開口部側では、前記挿入部は前記収納部に合流しており、
前記合流している合流地点の両側に、前記回路基板の縁両面を保持する第１のガイド手段を対向して有し、
前記収納部と前記挿入部の間に前記回路基板が収納部から外れることを防止するための外れ防止手段を有し、
前記合流地点を除く前記収納部の部位で、前記外れ防止手段のある側と反対側に当たる収納部の片側に、前記回路基板の縁片面を保持する第２のガイド手段を有し、
前記挿入開口部の一部分と前記対向開口部の一部分で前記収納部が位置する部位に、収納した前記回路基板の挿入先端と後端を保持する第３のガイド手段が対向して有することを特徴とする回路基板の収納ケース。
【請求項２】
前記挿入部の前記挿入口の近傍域に、前記回路基板の挿入を容易にするための第１の誘い込み手段を有することを特徴とする請求項１に記載の回路基板の収納ケース。
【請求項３】
前記合流地点に有する前記第１のガイド手段に、前記回路基板の挿入先端を前記収納部に誘い込むための第２の誘い込み手段を有することを特徴とする請求項１に記載の回路基板の収納ケース。
【請求項４】
前記第１のガイド手段と前記第２のガイド手段は、前記枠の対向する内面に対向してそれぞれ一対有することを特徴とする請求項１又は３に記載の回路基板の収納ケース。
【請求項５】
前記外れ防止手段は、前記挿入開口部側の近傍に配置し、且つ前記枠の対向する内面に対向して一対有することを特徴とする請求項１に記載の回路基板の収納ケース。
【請求項６】
前記第１の誘い込み手段は、前記枠の対向する内面に対向して一対有することを特徴とする請求項２に記載の回路基板の収納ケース。
【請求項７】
前記第１のガイド手段は、前記合流地点の両側に対向して設けた２つの壁面からなることを特徴とする請求項１、３、４のいずれかに記載の回路基板の収納ケース。
【請求項８】
前記第２のガイド手段は、収納部の片側に連続的又は断続的に設けた壁面からなることを特徴とする請求項１又は４に記載の回路基板の収納ケース。
【請求項９】
前記第３のガイド手段は、前記挿入開口部側と前記対向開口部側に対向して設けた２つの壁面からなることを特徴とする請求項１に記載の回路基板の収納ケース。
【請求項１０】
前記外れ防止手段は弾力性のある素材で前記収納ケースと同一又は別部材により形成され、先端面がＲ形状をなした突起部からなることを特徴とする請求項１又は５に記載の回路基板の収納ケース。
【請求項１１】
前記第１の誘い込み手段は、前記挿入部の挿入口が入口に向かって広くなるように設けた傾斜面であることを特徴とする請求項２又は６に記載の回路基板の収納ケース。
【請求項１２】
前記第２の誘い込み手段は、前記第１のガイド手段である前記合流地点の両側に対向して配した２つの壁面の壁面間の幅が対向開口部の方向に向かって幅が狭くなるように片側の壁面に設けた傾斜面であることを特徴とする請求項３に記載の回路基板の収納ケース。
【請求項１３】
前記回路基板の収納部は前記回路基板との間で、該回路基板の表裏面方向に所要のガタを有していることを特徴とする請求項１乃至１２のいずれかに記載の回路基板の収納ケース。
【請求項１４】
前記回路基板の収納部への収納は、前記挿入部の挿入口から前記回路基板を挿入部に挿入して前記回路基板の挿入先端を前記第１のガイド手段である２つの壁面の間に差し込むと共に前記第３のガイド手段である前記対向開口部側にある壁面に突き当て、その後に前記回路基板を前記収納部に向かって押圧して前記外れ防止手段である突起部を乗り越えて前記第２のガイド手段である壁面に突き当て、収納することを特徴とする請求項１乃至１３のいずれかに記載の回路基板の収納ケース。
【請求項１５】
各種の電子部品が実装された回路基板を収納した収納ケースに前面パネルと背面パネルを取付けて形成する電子機器装置おいて、
前記収納ケースは請求項１乃至１４のいずれかに記載の収納ケースであって、該収納ケースに前記回路基板を所要のガタを持たせた状態で収納し、前記前面パネルと背面パネルを前記収納ケースに取付けて前記回路基板と前記前面パネル並びに背面パネルを、あるいは、前記前面パネル又は背面パネルを電気的に接続することによって、前記回路基板を取付けたことを特徴とする電子機器装置。
【発明の詳細な説明】
【技術分野】
【０００１】
本発明は、各種の電子部品が実装された回路基板を収納する収納ケース、並びに、その収納ケースを用いた電子機器装置に関する。
【背景技術】
【０００２】
各種の電子機器装置の電装ボックスなどにおいて、回路基板をケース内に収納する構造は従来から様々な構造のものが知られている。例えば、下記の特許文献に開示された構造もその１つである。
【０００３】
【特許文献１】特開平１１−１２６９８６号公報
【特許文献２】登録実用新案第３０３３５７７号公報
【０００４】
特許文献１に示された構造は、回路基板をケース体に破損することなくスムーズに着脱することのできる構造のもので、図１３に示されるように、樹脂で形成するケース体１１０に反係合方向に変位可能な係合部１１１を設け、回路基板１２０に四角の穴からなる被係合部１２２を設け、Ｌ字型とコの字型のガイド部１１２、１１３に取付けた回路基板１２０の被係合部１２２に係合部１１１のフックを引っ掛けて回路基板１２０を固定する構造になっている。
【０００５】
係合部１１１と被係合部１２２の係合は、ケース体１１０の下面側に設けた突出部１１６を上側に向かって押し上げることでスリット１１０ａの内側の舌片部１１０ｂが上側に撓み、それにつれて係合部１１１が反係合方向に変位する。この変位した状態の時に回路基板１２０をガイド部１１２、１１３に差込み、差込んだ後に突出部１１６の押圧を解除して係合部１１１と被係合部１２２の係合を行う構造を取っている。
【０００６】
また、回路基板１２０を取外す場合も突出部１１６を上側に押し上げることによって係合部１１１が反係合方向に変位して係合が解除され、解除された状態の時に回路基板１２０をガイド部１１２、１１３から取外す。
【０００７】
このような構造をなすことにより、回路基板の取付け、取外しがスムーズにできるとされている。
【０００８】
次に、特許文献２には適切な挿抜力で基板アセンブリの挿抜を簡単に行う構造が示されている。この構造は、図１４に示されるように、ラックに組付けられるフロントパネル１３５の両端には揺動自在なカードプラー（着脱部材）１３６が設けられており、カードプラー１３６には受容孔が設けられて、この受容孔に基板本体（回路基板）１３４に設けられた枢支ピン１３７が係止している。
【０００９】
また、ラックの４隅には、サイドプレート（図示していない）に取付けられたステー１３１が設けられ、ステー１３１のスライド溝１３１ａ、１３１ｂ、１３１ｃにはガイドレール１３２の突起部１３２ａ、１３２ｂ、１３２ｃが嵌合して一対のガイドレール１３２が対向して取付けられる。このガイドレール１３２のガイド溝１３２ｅに基板本体１３４が挿入されるようになっている。
【００１０】
また、基板本体１３４の先端部には雄コネクター（図示していない）が取付けられており、基板本体１３４を一番奥に差し込んだ時に雄コネクターが背面パネルの雌コネクター（図示していない）に押し込まれて基板本体１３４が固定される構造になっている。
【００１１】
次に、基板本体１３４の挿抜は次のようにして行われる。最初に、カードプラー１３６の操作部１３６ａを揺動してカードプラー１３６の先端の係止突起１３６ｃがステー１３１と干渉しない状態にして、基板本体１３４をガイドレール１３２のガイド溝１３２ｅに挿入して基板本体１３４を奥方に押し込む。
基板本体１３４の先端部の雄コネクターが背面パネルの雌コネクターに当接した状態においては、一点鎖線で示したカードプラー１３６の係止突起１３６ｃがステー１３１のＵ字溝１３１ｄの位置に来る。
【００１２】
次に、カードプラー１３６の操作部１３６ａを矢印の方向に揺動すると係止突起１３６ｃがステー１３１のＵ字溝１３１ｄの中に入り込んでカードプラー１３６が停止する。この停止状態においては基板本体１３４の雄コネクターが背面パネルの雌コネクターに押し込まれた状態になる。また、停止状態においては、フロントパネル１３５の裏面１３５ａがステー１３１の前面１３１ｆと当接した状態になる。
【００１３】
フロントパネル１３５の裏面１３５ａがステー１３１の前面１３１ｆと当接した状態で、固定用ネジ１３９をネジプレート１３８と螺合させることでフロントパネル１３５が固定される。
【００１４】
基板本体１３４をラックから取外す場合は、固定用ネジ１３９を取外し、次に、操作部１３６ａを矢印と反対方向に揺動する。そうすると、基板本体１３４がラックの前面側に引き出されて雄コネクターと雌コネクターとの係合が解除される。後は手でフロントパネル１３５を掴んで前方に引き出せば基板本体１３４はラックから取外れる。
【００１５】
このような構造にすることにより、フロントパネル１３５の外側からカードプラー１３６の操作部１３６ａを操作することで基板本体１３４の取付け、取外しが可能となり、直接フロントパネルや基板本体１３４に触れることなく、また、常に安定した力で基板本体１３４の挿抜を行うことができるとされている。
【発明の開示】
【発明が解決しようとする課題】
【００１６】
しかしながら、特許文献１に記載された構造は、回路基板に穴を設ける構造であることから回路パターン形成に制約が生じる。回路パターンは穴を避けて形成しなければならない。細密なパターン形成を必要とする回路基板の場合などはパターン幅を細くすると共に形成密度を高める必要も生じることから、パターン切れやパターン接触も生じ易くなり、導通不良の発生が起こりやすくなる。また、ケース本体の外側から突出部を押圧しながらケース本体の内側で回路基板の取付け作業を行わなければならないので、作業性が悪くなると云う問題も有する。
【００１７】
また、特許文献２に記載された構造は、複雑な形状のステー１３１なる部材やカードプラー（着脱部材）１３６なる部材を用いることからコストのアップを招く。また、構造も複雑になり、部材破損などが生じた時のメンテナンスに時間を要する。
【００１８】
本発明は、上記の課題に鑑みてなされたもので、その目的とするところは、シンプルな構造でコストが安く、回路基板の着脱も容易にできさらに、前面パネル及び背面パネルの挿抜時、互いに相手側への挿抜力が直接作用しないような収納ケースを見出すことにある。
【課題を解決するための手段】
【００１９】
上記の課題を解決するための手段として、本発明の請求項１に記載の収納ケースの特徴は、両端に開口部を有する四角い筒状の枠の内部に各種の電子部品が実装された回路基板を収納する回路基板の収納ケースにおいて、
前記枠の両端の開口部で前記回路基板を挿入する側の開口部を挿入開口部、該挿入開口部と反対側にある開口部を対向開口部とすると、
前記収納ケースは、前記回路基板毎に基板取付部を有し、該基板取付部は前記挿入開口部と前記対向開口部との間に前記回路基板を収納する収納部と該収納部に隣接して前記回路基板を挿入する挿入部を有し、
前記挿入開口部側では、前記挿入部は挿入口を有して前記収納部と分かれており、
前記対向開口部側では、前記挿入部は前記収納部に合流しており、
前記合流している合流地点の両側に、前記回路基板の縁両面を保持する第１のガイド手段が対向して有し、
前記収納部と前記挿入部の間に前記回路基板が収納部から外れることを防止するための外れ防止手段を有し、
前記合流地点を除く前記収納部の部位で、前記外れ防止手段のある側と反対側に当たる収納部の片側に、前記回路基板の縁片面を保持する第２のガイド手段を有し、
前記挿入開口部の一部分と前記対向開口部の一部分で前記収納部が位置する部位に、収納した前記回路基板の挿入先端と後端を保持する第３のガイド手段が対向して有することを特徴とする。
【００２０】
上記の構成の下では、回路基板を基板取付部の挿入部に挿入すると、対向開口部側では挿入部が収納部に合流していることより回路基板の挿入先端は収納部に入り込み、そして、対向開口部の第３のガイド手段に突き当たり、第１のガイド手段と第３のガイド手段で保持される。一方、挿入開口部側では、回路基板の後端（挿入先端と反対側にある端）は挿入部の挿入口近傍の位置にくる。そして、回路基板を収納部側に向かって押圧すると、回路基板は挿入部と収納部の間に配した外れ防止手段を乗り越えて収納部の第２のガイド手段に突き当たって収納部に納まる。回路基板が収納部に納まったときは外れ防止手段は回路基板を保持する働きをなして、収納部から回路基板が外れることを防止する。
【００２１】
また、第１のガイド手段は回路基板の縁両面を保持する状態で配されている。このため、両面で保持された部位を支点にして回路基板を容易に回すことができ、強い押圧力を必要とせずに小さい押圧力で回路基板の移動ができる。つまり、大きな押圧力を掛けずに回路基板が外れ防止手段を乗り越えて収納部に収納することができる。そして、回路基板は、挿入先端と後端が第３のガイド手段で保持され、縁両面が第１のガイド手段、第２のガイド手段、外れ防止手段に保持されて収納部内に収納される。
【００２２】
また、本発明の請求項２に記載の収納ケースの特徴は、前記挿入部の前記挿入口の近傍域に、前記回路基板の挿入を容易にするための第１の誘い込み手段を有することを特徴とする。
【００２３】
この第１の誘い込み手段を有することで、挿入口への挿入、挿入部への挿入が容易にできるようになる。
【００２４】
また、本発明の請求項３に記載の収納ケースの特徴は、前記合流地点に有する前記第１のガイド手段に、前記回路基板の挿入先端を前記収納部に誘い込むための第２の誘い込み手段を有することを特徴とする。
【００２５】
この第２誘い込み手段で回路基板の挿入先端は収納部に納まる。つまり、回路基板の挿入先端を第２の誘い込み手段の案内に沿って押し込むと挿入先端は合流している収納部に自然と納まる。即ち、スムーズに挿入先端を収納部に納めることができる。
【００２６】
また、本発明の請求項４に記載の収納ケースの特徴は、前記第１のガイド手段と前記第２のガイド手段は、前記枠の対向する内面に対向してそれぞれ一対有することを特徴とする。
【００２７】
この構成の下では、回路基板が垂直状態、或いは水平状態で回路基板の対向する両縁が保持されて収納ケース内に収納される。
【００２８】
また、本発明の請求項５に記載の収納ケースの特徴は、前記外れ防止手段は、前記挿入開口部側の近傍に配置し、且つ前記枠の対向する内面に対向して一対有することを特徴とする。
【００２９】
回路基板を押圧して外れ防止手段を乗り越えるときに、外れ防止手段が対向して有することで回路基板は対向する外れ防止手段に同時に当接する。このため、回路基板や外れ防止手段にかかる力が分散され、回路基板の損傷や外れ防止手段の損傷を防止することができる。また、回路基板を収納部に収納したとき、回路基板が傾いて収納されることがなくなる。
【００３０】
また、本発明の請求項６に記載の収納ケースの特徴は、前記第１の誘い込み手段は、前記枠の対向する内面に対向して一対有することを特徴とする。
【００３１】
第１の誘い込み手段を前記枠の対向する内面に対向して設けることで、回路基板の挿入先端の角部に片当たりなどがなくなって挿入できるので、スムーズな挿入ができるようになる。
【００３２】
また、本発明の請求項７に記載の収納ケースの特徴は、前記第１のガイド手段は、前記合流地点の両側に対向して設けた２つの壁面からなることを特徴とする。
【００３３】
また、本発明の請求項８に記載の収納ケースの特徴は、前記第２のガイド手段は、収納部の片側に連続的又は断続的に設けた壁面からなることを特徴とする。
【００３４】
また、本発明の請求項９に記載の収納ケースの特徴は、前記第３のガイド手段は、前記挿入開口部側と前記対向開口部側に対向して設けた２つの壁面からなることを特徴とする。
【００３５】
壁面は平坦面をなしているもので、凸部或いは凹部を設けることで平坦な壁面が得られる。凸部や凹部は形状がシンプルであるので容易に成形でき、また、成形コストも安く上がる。
【００３６】
また、本発明の請求項１０に記載の収納ケースの特徴は、前記外れ防止手段は弾力性のある素材で前記収納ケースと同一又は別部材により形成され、先端面がＲ形状をなした突起部からなることを特徴とする。
【００３７】
Ｒ形状をなした突起部、即ち、丸味を持った突起部であると、突起部の丸味のある表面に加わる力が分散されること、また、滑りなども生じることなどから、強い押圧力を必要とせずに回路基板は外れ防止手段を乗り越えることができる。
【００３８】
また、本発明の請求項１１に記載の収納ケースの特徴は、前記第１の誘い込み手段は、前記挿入部の挿入口が入口に向かって広くなるように設けた傾斜面であることを特徴とする。
【００３９】
傾斜面をなして挿入口が広くなっていると回路基板は挿入し易くなる。また、傾斜面は徐々に寸法が変わるので傾斜面に沿っての誘い込みの案内がし易い。また、傾斜面は成形し易い形状であるので製作し易い。
【００４０】
また、本発明の請求項１２に記載の収納ケースの特徴は、前記第２の誘い込み手段は、前記第１のガイド手段である前記合流地点の両側に対向して配した２つの壁面の壁面間の幅が対向開口部の方向に向かって幅が狭くなるように片側の壁面に設けた傾斜面であることを特徴とする。
【００４１】
この傾斜面も形状がシンプルであり、成形が容易である。回路基板の挿入先端は片側の傾斜した壁面に沿って案内されるので、回路基板の挿入先端を容易に収納部に導くことができる。
【００４２】
また、本発明の請求項１３に記載の収納ケースの特徴は、前記回路基板の収納部は前記回路基板との間で、該回路基板の表裏面方向に所要のガタを有していることを特徴とする。
【００４３】
収納部と回路基板の表裏面方向に所要のガタがあることで、収納部への収納がスムーズに行えるようになる。また、後述する前面パネルや背面パネルとの組付けで回路基板に無理な力を加えることなく組付けができるようになる。また、前面パネルや背面パネルを取外す場合も同様である。回路基板に無理な力が加わらないので回路基板の損傷を防止することができる。
【００４４】
また、本発明の請求項１４に記載の収納ケースの特徴は、前記回路基板の収納部への収納は、前記挿入部の挿入口から前記回路基板を挿入部に挿入して前記回路基板の挿入先端を前記第１のガイド手段である２つの壁面の間に差し込むと共に前記第３のガイド手段である前記対向開口部側にある壁面に突き当て、その後に前記回路基板を前記収納部に向かって押圧して前記外れ防止手段である突起部を乗り越えて前記第２のガイド手段である壁面に突き当て、収納することを特徴とする。
【００４５】
この収納の手順で収納できるのでワンタッチ作業で収納でき、収納が簡単に行える。また、回路基板を取外す場合も収納手順と逆の手順を行うことにより簡単に取外すことができる。
【００４６】
また、本発明の請求項１５に記載の電子機器装置の特徴は、各種の電子部品が実装された回路基板を収納した収納ケースに前面パネルと背面パネルを取付けて形成する電子機器装置おいて、
前記収納ケースは前記請求項１乃至１４のいずれかに記載の収納ケースであって、該収納ケースに前記回路基板を所要のガタを持たせた状態で収納し、前記前面パネルと背面パネルを前記収納ケースに取付けて前記回路基板と前記前面パネル並びに背面パネルを、あるいは、前記前面パネル又は背面パネルを電気的に接続することによって、前記回路基板を取付けたことを特徴とする。
【００４７】
電子機器装置の前面パネルには表示装置やスイッチなど各種の部品が取付けられる。また、背面パネルにもコネクターなどの各種の部品が取付けられる。
これらの部品がアッセンブリーされた前面パネルと背面パネルを本発明の回路基板が収納された収納ケースの両端の開口部に組付けて完成した電子機器装置が得られる。
収納ケースに収納された回路基板はコネクターを介して前面パネル、或いは背面パネルと接続される。つまり、回路基板に配した雄コネクターまたは雌コネクターと前面パネルに配した雌コネクターまたは雄コネクターとが係合し合って電気的接続が図られる。回路基板と背面パネルとの組付けも同様なことが行われる。
【００４８】
ここで、収納ケースに収納した回路基板は収納部との間に、取り分け回路基板の表裏面方向に所要のガタを有している。このため、前面パネルのコネクターや背面パネルのコネクターと回路基板のコネクターとに多少の位置ズレなどがあっても所要のガタ量の範囲内で回路基板が動いて位置調整が行われ、正常な位置でのコネクターの係合が行われるようになる。回路基板に無理な力が加わらないため回路基板の変形などが防止され、回路基板の損傷発生を防止することができる。
【発明の効果】
【００４９】
以上、詳細に渡って本発明の特徴とその作用・効果を説明した。本発明によれば、収納ケースは回路基板の取付け、取外しが簡単にできる。また、コスト的にも安く製作でき、回路基板に損傷を与える心配もない。また、本発明の収納ケースを用いた電子機器装置にあっては回路基板を傷める心配は起きない。
また、回路基板が収納ケースの収納部に収納された状態では、回路基板の収納ケースに対する前後方向への抜き力は収納部によって防止されるため、前面パネル、背面パネルのコネクター、ソケットなどとの抜き差し時に生じる力についてはそれぞれ背面パネル、前面パネルに直接作用することはなくなる。つまり、前面パネル、背面パネルの一方を抜き差しする操作による他方への電気的機械的影響はなくなる。
【発明を実施するための最良の形態】
【００５０】
以下、本発明を実施するための最良の形態（以降、実施形態と云う）について図１〜図７を用いながら説明する。なお、図１は本発明の実施形態に係る収納ケースの斜視図を示している。また、図２は図１の収納ケースに回路基板を取付ける状態を示す斜視図で、図３は図１における基板取付部の拡大斜視図、図４は図３における挿入部の説明図を示している。また、図５は図３のＥ−Ｅ断面図を示している。また、図６は回路基板の取付け状態を示す説明図で、図６の（ａ）は回路基板を挿入部に挿入した状態の説明図、図６の（ｂ）は回路基板を収納部に収納した状態の説明図を示している。また、図７は図１に示す基板取付部に回路基板を収納した斜視図で、１組の回路基板のみを示した部分斜視図である。
【００５１】
本発明の収納ケースは、両端に開口部を有する四角い筒状の枠をなしており、その枠の中に各種の電子部品が実装された回路基板（以降、単に回路基板と呼ぶ）を収納するようになっている。図１は回路基板の挿入側から見た斜視図を示している。また、図１に示した収納ケースは射出成形によって形成した樹脂からなる収納ケースである。
【００５２】
図１において、収納ケース１は枠上部２、枠下部３、枠左側部４、枠右側部５の４面を持ち、図中手前側と図中後方側に開口部を有して、四角い筒状の枠形状をなしている。
【００５３】
ここで、本発明の収納ケースの詳細仕様を説明する前に言葉の定義をする。図１において、図中手前側の開口部は回路基板を挿入する側の開口部であるので挿入開口部と表し、挿入開口部６と符号する。図中後方側の開口部は挿入開口部６に対して反対側にあるので対向開口部と表し、対向開口部７と符号する。
【００５４】
本実施形態の収納ケース１内には３組の回路基板が取付けられるようになっている。３箇所の基板取付部８、９、１０に回路基板が取付けられる。図中、基板取付部８、９、１０の所で矢印で示したＩ８、Ｉ９、Ｉ１０は回路基板の挿入方向と挿入位置を示している。回路基板の取付けは、回路基板を基板取付部にある挿入部の挿入口から挿入部に差し込み、次に、挿入部に納まった回路基板を収納部に移動して収納ケース１への収納が完了する。図２において、基板取付部８では回路基板２０を立てた状態で収納口から挿入部に差し込んでいる状態を示している。また、基板取付部９では回路基板２０を収納部に収納した状態を示している。基板取付部の構成については詳しく後述することにする。
【００５５】
なおここで、挿入方向に沿って挿入する回路基板の先端側を挿入先端、挿入先端と反対側の端側を後端と呼ぶことにする。
【００５６】
また、図１においては、３箇所の基板取付部８、９、１０は枠下部３の内面３ａに描かれているが、全く同じ形状の基板取付部が枠上部２の内面２ａにも設けられており、それぞれ対向して対をなしている。本実施形態の収納ケース１は回路基板２０を垂直に立てて収納する構成になっている。
【００５７】
次に、基板取付部８、９、１０の詳しい構成を図３を用いて説明する。なお、基板取付部８、９、１０は、それぞれ回路基板の挿入部と回路基板の収納部を持つが、回路基板の挿入部が収納部に対して右側にあるか（基板取付部８は、挿入部が収納部の右側にある）、あるいは、左側にあるか（基板取付部９、１０は、挿入部が収納部の左側にある）の違いだけであって構成的にはほぼ同じ構成をなしている。従って、代表して基板取付部８を取り上げて説明することにする。
【００５８】
最初に、基板取付部には回路基板を収納する収納部が有る。図３において、一点鎖線で示したＢの領域が収納部Ｂをなしている。この収納部Ｂは回路基板の収納ケース１への最終収納場所を示している。また、この回路基板の収納部Ｂに隣接して回路基板の挿入部がある。図３において、２点鎖線で示したＡの領域が挿入部Ａをなす。挿入部Ａは回路基板を挿入する場所で、収納部に納める前の仮置きの場所でもある。
【００５９】
図３に示す収納部Ｂと挿入部Ａは基板取付部における位置を単に平面的に示したものである。収納部Ｂと挿入部Ａは枠上部２と枠下部３の対向する内面２ａ、３ａに対向して設けた基板取付部に挟まれた空間領域を持っている。図４は遠近法で挿入部Ａを２点鎖線で示したものである。図４において、２点鎖線で示した挿入部Ａは枠上部２の内面２ａに設けた基板取付部８と枠下部３の内面３ａに設けた基板取付部８とに挟まれた空間領域をなす。図４は挿入部Ａのみを示したものであるが、収納部Ｂも挿入部Ａと同様に空間領域を持っている。また、この収納部Ｂと挿入部Ａは挿入開口部６と対向開口部７との間に設けられる。
【００６０】
再び図３に戻り、挿入部Ａは挿入開口部６側に回路基板の挿入口１１がある。また、挿入部Ａは対向開口部７側で収納部Ｂと合流している。図３において、斜線で示したＤの領域は合流領域（以降、合流領域を合流地点Ｄと呼ぶ）を示している。挿入部Ａは対向開口部７側で収納部Ｂと合流していることから、回路基板をＩ８の矢印方向の挿入口１１から挿入部に挿入すると回路基板の挿入先端（挿入方向に向いた先端側）は収納部Ｂに入り込んだ位置にくる。
【００６１】
本実施形態での基板取付部は枠の内面に僅かな深さの凹部Ｊと凹部Ｊの縁周りに設けた何箇所かの凸部によって形成している。凹部Ｊの縁に設けた凸部は、図３において、符号１２、１３、１５、１６、１７で示すものが凸部をなしている。そして、凹部Ｊの壁面と凸部の壁面は繋がっていて平坦面をなした壁面になっている。本実施形態の枠上部２と枠下部３は厚みが薄いため凹部を深く形成することができない。従って、凹部と凸部を組み合わせて機能的に問題ない基板取付部を形成している。以降、壁面を表す場合は凸部の呼称でもって繋がった壁面を表すこととする。
【００６２】
図３の符号１２、１３は合流地点Ｄの両側に設けた凸部で、凸部１２と凸部１３とでもって合流地点Ｄの両側に対向した２つの壁面１２ａ、１３ａが配される。この対向する２つの壁面１２ａ、１３ａが収納部Ｂに入ってきた回路基板の縁両面を保持するガイド手段の働きをなす。以降、この対向する２つの壁面１２ａ、１３ａを第１のガイド手段と表す。このガイド手段があることで、挿入先端の縁両面が保持される。
【００６３】
ここで、凸部１３は三角形の形状をなしており、壁面１３ａは傾斜角αを持った傾斜面をなしている。つまり、壁面１２ａと壁面１３ａとに挟まれた幅が対向開口部７の方向に向かって幅が狭くなるように傾斜面が設けられている。この傾斜面が有ることにより、挿入した回路基板の挿入先端は傾斜面に案内されて収納部Ｂに誘い込まれる。以降、壁面１３ａの傾斜角αなる傾斜面は回路基板の挿入先端を収納部Ｂに誘い込む働きをなすので、第２の誘い込み手段と表す。この第２の誘い込み手段があることで、回路基板の挿入先端が収納部Ｂにスムーズに導かれる。
【００６４】
次に、図３の符号１５は収納部Ｂの片側に設けた凸部で、この凸部１５は収納部Ｂと挿入部Ａの間にある突起部１８のある側と反対側の片側に設けている。この凸部１５の壁面１５ａは収納部Ｂに納まった回路基板の縁片面を保持するガイド手段としての働きをなすので、以降、壁面１５ａを第２のガイド手段と表す。
【００６５】
収納部Ｂと挿入部の間に突起部１８を設けている。この突起部１８は、本実施形態ではカマボコ型の形状をなして、先端面（先端表面）が丸くＲ形状をなしている。この突起部１８は挿入開口部６に近い位置、即ち、挿入開口部６の近傍に配される。
【００６６】
この突起部１８は収納部Ｂに収納された回路基板が収納部Ｂから外れることを防止する外れ防止手段としての働きをなしている。また、この外れ防止手段である突起部１８は弾力性のある材料で形成する。本実施形態では、収納ケース１をＡＢＳ樹脂を用いて射出成形で形成しているので、突起部１８もＡＢＳ樹脂からなって弾力性を有している。
【００６７】
図３の符号１６は挿入開口部６側に設けた凸部である。また、図３の符号１７は対向開口部７に設けた凸部である。この凸部１６と凸部１７は収納部Ｂがある部位に対向して設けられている。また、凸部１６は収納部Ｂに向かって壁面１６ａを有し、凸部１７も収納部Ｂに向かって壁面１７ａを有している。この一対の対向する壁面１６ａ、１７ａは収納部Ｂに収納された回路基板の挿入先端と後端（挿入先端と反対側にある端側）を保持するガイド手段としての働きをなす。以降、凸部１６、１７の壁面１６ａ、１７ａを第３のガイド手段と表す。この第３のガイド手段があることで、回路基板が収納ケース１の両端の開口部から抜けて外れたり、開口部から突き出ることがなくなる。
【００６８】
次に、図３において、Ｇは傾斜面を表している。挿入部Ａの挿入口１１の近傍域は、図５に示すように、挿入口１１が広くなるように枠下部３の基板案内面３ｂに傾斜角βの傾斜を持たせて傾斜面Ｇを設けている。傾斜面Ｇが有ることによって、回路基板の挿入先端の角部が傾斜面Ｇに沿うようにして挿入部Ａの奥方へと導かれ、挿入部Ａへの挿入がスムーズにできるようになる。この傾斜面Ｇは回路基板を挿入部Ａに誘い込む働きをなすので、以降、第１の誘い込み手段と表す。
【００６９】
前記傾斜面Ｇに設ける傾斜角βの角度が大きいと傾斜面Ｇは急坂となり、回路基板の挿入先端の角部が突っかかってスムーズに挿入できなくなる。なだらかな傾斜面にすると挿入がスムーズにできるようになる。傾斜面Ｇの傾きは回路基板の大きさや挿入部の長さなどを考慮して適宜な値に設定する。
【００７０】
なお、この傾斜面Ｇは、本実施形態では収納部Ｂにも連ねて設けている。傾斜面Ｇは収納部Ｂに及んでいても回路基板の収納状態には何ら影響を及ぼさない。
【００７１】
次に、図６を用いて回路基板の収納部Ｂへの収納方法を説明する。なお、図６は図３に示した基板取付部を上から見た平面図、つまり、垂直に立てて挿入した回路基板を上から見た平面図を示している。図６の（ａ）において、挿入部Ａに挿入された回路基板２０は、その挿入先端が前述したように収納部Ｂの方に入り込んで、第１のガイド手段である壁面１２ａ、１３ａと第３のガイド手段である凸部１７の壁面１７ａで保持されている。回路基板２０の挿入先端を挿入口１１に挿入すると挿入口１１の近傍域にある第１の誘い込み手段の傾斜面Ｇによってスムーズに挿入部Ａに入り込んで奥方に進み、そして凸部１３の壁面１３ａの傾斜面なる第２の誘い込み手段の案内で挿入先端は第１のガイド手段である壁面１２ａと壁面１３ａの間に入り、第３のガイド手段である凸部１７の壁面１７ａに突き当たる。これにより、回路基板２０の挿入先端は収納部Ｂに納められる。そして、挿入先端は第１のガイド手段である凸部１２、１３の両壁面１２ａ、１３ａと凸部１７の壁面１７ａで保持される。
【００７２】
次に、挿入された回路基板２０の後端近くの片面に押圧力Ｆを矢印の方向、即ち、収納部Ｂの方向にかける。回路基板２０に押圧力をかけると、回路基板２０は突起部１８なる外れ防止手段を乗り越えて収納部Ｂに入り込み、収納部Ｂの片側の第２のガイド手段である凸部１５の壁面１５ａに突き当たって止まる。これによって、図６の（ｂ）に示したように回路基板２０は収納部Ｂに収納される。そして、挿入開口部６側にあっては、回路基板２０は第２のガイド手段である壁面１５ａと外れ防止手段である突起部１８と第３のガイド手段である凸部１６の壁面１６ａで保持される。
【００７３】
回路基板２０の挿入先端は第１ガイド手段である突部１２、１３の両壁面１２ａ、１３ａと凸部１７の壁面１７ａで保持されている。このため、保持された挿入先端を支点にして回路基板２０を回すことができ、強い押圧力を掛けないでも矢印の方向に動かすことができる。そして、突起部１８を乗り越えさせることができる。さらに、突起部１８を乗り越える際、収納ケース１の基板取付部が設けられた対向する枠上下部が外方に撓み、乗り越えると同時に枠上下部の撓みが元に戻ることにより、回路基板取付が容易となる。
【００７４】
突起部１８は回路基板２０の収納部Ｂからの外れを防止する機能をなす。従って、突起部１８のＲ形状をなした先端面は、図５に示すように、基板案内面３ｂよりｔの突出量を持って突出している。この突出量ｔが大きいと回路基板２０は突起部１８を乗り越え難くなり、突出量ｔが小さいと簡単に外れ易くなる。この突出量ｔは回路基板の大きさや厚み、加えられる押圧力などを考慮して適宜な値に設定する。なお、これまでの説明においては、前記突起部１８を収納ケース１と一体成形により同一部材にて形成した例を示したが、例えば真鍮、アルミ、ステンレスなどの金属によりなる別部材として設けても良い。さらに、前記突起部１８は１つの収納部に対して１つ又は複数配置することも可能である。
【００７５】
また、この突起部１８は挿入開口部６側の近傍に設けられる。回路基板２０の収納部Ｂへの収納は手の指を開口部に差し込んで回路基板２０の後端近傍の片面を収納部Ｂの方向に押圧して行われる。突起部１８を挿入開口部６より奥まった所に配すると、回路基板２０を押圧したときに回路基板２０が突起部１８によって撓みなどの変形を起こす危険がある。そして、回路パターンの損傷や実装部品の損傷が発生する危険が生じる。この問題発生を防止するために、突起部１８を挿入開口部６側の近傍に設けて押圧力をかける近くの位置に配している。
【００７６】
以上の方法によって回路基板２０を収納部Ｂに収納する。なお、回路基板２０の挿入先端を収納部Ｂに納める方法として、次のような方法も取ることができる。
【００７７】
これは、第１のガイド手段である壁面１２ａと第２のガイド手段である壁面１５ａが繋がっている場合に取ることができるもので、挿入した回路基板２０の挿入先端を壁面１５ａに当て、挿入先端を繋がった壁面１５ａと壁面１２ａに沿って押し込むことにより挿入先端を収納部Ｂに納めることができる。
【００７８】
回路基板２０を収納ケース１の収納部Ｂから取外す場合は、上記で述べた収納手順と
逆の手順を行うことにより簡単に取外すことができる。
【００７９】
収納部Ｂに収納された回路基板２０は、その表裏面方向に収納部Ｂと所要のガタ（間隙）を有している。即ち、回路基板２０を保持する第１のガイド手段である壁面１２ａ、１３ａ、第２のガイド手段である壁面１５ａ、外れ防止手段である突起部１８との間に所要のガタを持っている。
【００８０】
収納部Ｂと回路基板２０のガタについては図７を用いて説明する。図７において、収納部Ｂに収納された回路基板２０のガタに３つの方向がある。１つ目の方向は回路基板２０の表裏面方向で、図７ではＸ−Ｘ方向である。２つ目の方向は回路基板２０の差込方向で、Ｙ−Ｙ方向である。３つ目の方向は枠上部２の基板取付部８と枠下部３の基板取付部８に挟まれた回路基板２０の幅方向で、Ｚ−Ｚ方向である。
【００８１】
回路基板２０の表裏面方向のガタ、即ち、Ｘ−Ｘ方向のガタは回路基板２０と第１のガイド手段である壁面１２ａ、１３ａ、第２のガイド手段である壁面１５ａ、外れ防止手段である突起部１８との間隙によって決まる。差込方向のガタ、即ち、Ｙ−Ｙ方向のガタは第３のガイド手段である凸部１６の壁面１６ａと凸部１７の壁面１７ａとの間隙によって決まる。幅方向のガタ、即ち、Ｚ−Ｚ方向のガタは枠上部２の基板取付部８と枠下部３の基板取付部８との間隙によって決まる。
【００８２】
本発明においては、表裏面方向（Ｘ−Ｘ方向）のガタに所要のガタ量を持たせており、差込方向（Ｙ−Ｙ方向）のガタ、幅方向（Ｚ−Ｚ方向）のガタは最小限のガタ量で抑えている。
【００８３】
回路基板２０の挿入先端側または後端側には雄または雌のコネクターが実装される。また、収納ケース１に取付けられる前面パネルまたは背面パネルにも雌または雄のコネクターが取付けられる。そして、雄・雌コネクターによる係合でもって組付けを行い、電気的接続を図っている。
【００８４】
ここで、前面パネルや背面パネルの組付け時には、回路基板２０はＹ−Ｙ方向、つまり、差込方向に動かないことが必要で、動くと雄・雌コネクターの係合（差込み）不十分が発生する。従って、差込方向（Ｙ−Ｙ方向）のガタは回路基板２０のスムーズな収納ができる範囲内で最小限のガタ量に抑えている。
【００８５】
また、Ｚ−Ｚ方向、つまり、幅方向のガタは回路基板２０を基板取付部８にスムーズに収納できる範囲内で最小限のガタ量に抑えている。Ｚ−Ｚ方向にガタ量が多いと雄・雌コネクター間の位置ズレが大きくなりコネクター同士の係合がスムーズに行われないためである。
【００８６】
次に、Ｘ−Ｘ方向のガタは、つまり、表裏面方向のガタは所要のガタ量を持たせている。所要のガタを持たせていることで、雄・雌のコネクター間に多少の位置ズレなどあっても回路基板２０側が動いて係合がスムーズに行われるようになる。
【００８７】
所要のガタ量は基板取付部８の成形精度や回路基板２０の厚み精度、回路基板２０の大きさ、前面パネルや背面パネルの加工精度や組立精度などによって異なるが、概ね回路基板２０の厚みに対して１／１０〜１／２の範囲内でガタ量を設けることで十分対応できる。
【００８８】
このように、回路基板の表裏面方向に所要のガタを持たせることで回路基板と前面パネルや背面パネルとの係合がスムーズに行うことができる。また、回路基板に強い力を付加せずに組付けが行えるので回路基板の損傷発生も防止することができる。
【００８９】
また、前面パネルや背面パネルを回路基板から取外す場合も、収納部Ｂに回路基板が収納されているので取外しが容易になる。
【００９０】
以上、詳細に説明したように、上記の構成にすることによりワンタッチでの取付け、取外しができる。また、回路基板２０を収納部Ｂに移動させる押圧力も強い力を必要とせず、比較的小さい力で外れ防止手段の突起部１８を乗り越えさせることができる。
【００９１】
なお、本実施形態でのガイド手段は凹部と凸部を繋げて形成した壁面をガイド手段としたが、壁面はこれに限るものではなく、単に凸部だけによる壁面、深い凹部だけによる壁面をガイド手段として用いても構わない。また、壁面に限るものではなく、ガイド手段としての機能を果たす形状のものでも構わない。
【００９２】
また、本実施形態での外れ防止手段はカマボコ型をなした樹脂で構成したが、特にカマボコ型に限るものではない。例えば、半球状の突起部でも適用できるものである。また、樹脂に限らす弾力性の有するものであれば良く、ゴムやバネなどであっても構わない。
【００９３】
基板取付部の構成説明は図１に示した基板取付部８を取り上げて説明した。この基板取付部８は、図中においては、回路基板の挿入部が収納部の右側に配されているものである。挿入部を収納部の右側に配するか、左側に配するかは各種の電子部品が実装された基板の厚みや前面パネルなどに装着されたコネクターの位置関係などを考慮して適宜に決めるのが良い。
【００９４】
また、本実施形態の収納ケースは樹脂で形成した収納ケースを用いたが、金属板などを組み立てて形成した収納ケースでも適用できるものである。また、本実施形態の収納ケースは回路基板を垂直に立てて収納する構成のケースであるが、回路基板を水平に寝かせて収納する平置型の収納ケースでも適用できるものである。
【実施例１】
【００９５】
実施例１の収納ケースは金属板などを組み立てて形成した収納ケースである。以下、実施例１に係る収納ケースを図８、図９を用いて説明する。なお、図８は実施例１に係る収納ケースの斜視図を示している。また、図９は図８における基板取付部の平面図と断面図で、図９の（ａ）は平面図、図９の（ｂ）は図９の（ａ）におけるＨ−Ｈ断面図を示している。
【００９６】
実施例１の収納ケース３０は、図８に示すように、複数の角材３７ａ、３７ｂ、３７ｃ、３７ｄ、３７ｅ、３７ｆ、３７ｇなどを組立たてて四角い枠組みを作り、その枠組みに上板３２、下板３３、左右の側板３４、３５をネジ（図示していない）を介して角材に固定したものからなる。また、対向した一対の側板３４、３５の内面には基板取付部材４０を対向させて一対、固定手段（例えば、ネジ・ナット）を介して設けている。
【００９７】
この収納ケース３０は四角い筒状のケースになっていて、図中手前側と後方側に開口部がある。手前側の開口部は回路基板を挿入する側の開口部になっており、挿入開口部４６と表している。また、後方側の開口部は挿入開口部４６と反対側にあるので対向開口部４７と表している。挿入開口部４６と対向開口部４７には前面パネルや背面パネルが取付けられるようになっている。
【００９８】
対向して設けられた一対の基板取付部材４０は樹脂成形によって形成したものからなり、２組の回路基板が２段になって取付けられるように凹部Ｊからなる２つの基板取付部４８、４９を持っている。矢印のＩ４８とＩ４９は回路基板の挿入方向と挿入位置を示しており、矢印の所から回路基板を挿入し、挿入した回路基板をこの基板取付部の収納部に収納するようになっている。また、収納した回路基板はこの収納ケース３０に取付ける前面パネルや背面パネルとコネクターなどを介して係合されると共に電気的接続が図られるようになっている。この収納ケース３０は回路基板を平置きで収納する収納ケースになっている。
【００９９】
基板取付部材４０の更に詳しい構成を図９でもって説明する。なお、２段に設けた基板取付部４８、４９は同じ構成をなしているので、基板取付部４９を取り上げて説明することにする。また、前述の実施形態での構成と同じ仕様をなす構成のものは必要限度の説明に留めることにする。
【０１００】
実施例１の基板取付部４９は平板状の基板取付部材４０に形成した凹部Ｊからなっている。従って、図９の（ａ）に示すように、凹部Ｊの周りには壁、即ち、壁面を持つ。ここでの壁面は壁面５２ａ、５３ａ、５４ａ、５６ａ、５７ａが主要な壁面としての役割を果たす。
基板取付部４９は、前述の実施形態と同様に、二点鎖線で示した挿入部Ａと一点鎖線で示した収納部Ｂを持つ。挿入部Ａは収納部Ｂに隣接した位置にあり、挿入開口部４６側で挿入口５１を持っている。また、対向開口部４７側では収納部Ｂに合流している。従って、挿入口５１から挿入した回路基板の挿入先端は一番奥まった対向開口部４７側に至ったときは収納部に納まるようになっている。
【０１０１】
斜線で示したＤの領域は挿入部Ａが収納部Ｂに合流する領域を示している。以降、この合流領域を合流地点Ｄと表して説明する。合流地点Ｄの両側には回路基板を保持するガイド手段としての働きをなす壁面、壁面５３ａと５２ａが対向して配されている。この対向した壁面５３ａ、５２ａを、以降、第１のガイド手段と表して説明する。なお、壁面５２ａは挿入開口部４６側から対向開口部４７側まで連なった壁面をなしており、合流地点Ｄの領域にある壁面を第１のガイド手段としている。
【０１０２】
ここで、壁面５３ａは対向開口部４７に向かって２つの壁面５２ａ、５３ａで挟まれた幅が狭くなるように傾斜角を持った傾斜面をなしている。この傾斜面に沿って回路基板の挿入先端を押し込むと挿入先端は収納部に入り込む。壁面５３ａの傾斜面は誘い込み手段（この誘い込み手段を第２の誘い込み手段と表す）としての働きをなしている。
【０１０３】
また、２つの壁面５２ａ、５３ａの間に入り込んだ回路基板の挿入先端は先端の進む方向にある壁面５７ａに突き当たって止まる。
【０１０４】
挿入開口部４６側にあって、挿入部Ａと収納部Ｂとの間に突起部５８を設けている。この突起部５８は収納部に収納した回路基板が収納部から外れるのを防止するために設けていて、回路基板の外れ防止手段としての働きをなしている。
【０１０５】
上記したことから、挿入部Ａの部位は突起部５８、壁面５４ａ、壁面５３ａ、壁面５７ａ、合流地点Ｄにある壁面５２ａに囲まれた位置にくる。また、回路基板を平置きにして収納する収納ケースにあっては、挿入部Ａは収納部Ｂの上側に設けるのが好ましい。
【０１０６】
次に、収納部Ｂは回路基板を収納する部位で、挿入部Ａに納まった回路基板を移動して収納部に収納するようになっている。この収納部Ｂの部位は壁面５６ａ、壁面５２ａ、壁面５７ａ、壁面５３ａ、突起部５８に囲まれた位置にくる。
【０１０７】
ここで、壁面５６ａと壁面５７ａは対向していて、回路基板が両端の開口部から飛び出さないようにするために設けている。開口部方向への動きを防止して回路基板を保持するガイド手段（このガイド手段を、以降、第３のガイド手段と表して説明する）としての働きをなしている。
【０１０８】
また、壁面５２ａは挿入開口部４６側から対向開口部４７側まで連なった壁面をなしているが、挿入開口部４６側から合流地点Ｄまでの壁面５２ａは回路基板を保持するガイド手段（このガイド手段を、以降、第２のガイド手段と表して説明する）としての働きをなしている。
【０１０９】
従って、収納部Ｂに収納された回路基板は、壁面５３ａと壁面５２ａからなる第１のガイド手段、壁面５６ａと壁面５７ａからなる第３のガイド手段、壁面５２aからなる第２のガイド手段、外れ防止手段に保持される。
【０１１０】
挿入開口部４６側の挿入口５１の近傍には、図９の（ｂ）に示すように、基板案内面４０ｂに傾斜をなした傾斜面Ｇを設けている。この傾斜面Ｇは回路基板を挿入部にスムーズに挿入できるように、誘い込むための誘い込み手段（この誘い込み手段を、第１の誘い込み手段と表す）として挿入部に設けている。この傾斜面Ｇは収納部Ｂの方に設けられていても問題はないので収納部まで広げて設けている。
【０１１１】
また、外れ防止手段である突起部５８は、図９の（ｂ）に示すように、傾斜面Ｇ上に設けている。この突起部５８は弾力性を有しており、先端表面はＲ形状に形成されて丸味を持っている。また、突起部５８の高さは収納部Ｂに収納された回路基板が自重では外れない高さであり、また、挿入部Ａに挿入した回路基板に押圧力を加えたときに回路基板が突起部５８を乗り越えて収納部Ｂに納まるような高さをなしている。
【０１１２】
次に、回路基板を収納部に収納する方法は前述の実施形態で説明した方法と同じ方法を取る。即ち、回路基板を挿入開口部４６側にある挿入口５１から差し込んで挿入部Ａに納め、次に、収納部Ｂの方向に向かって回路基板に押圧力を加え、回路基板が外れ防止手段である突起部５８を乗り越えさせて収納部Ｂに納める方法を取る。なお、回路基板を収納部Ｂから取り出す場合は上記の手順を逆に行えばよい。
【０１１３】
収納部に収納した回路基板と収納部との間で、回路基板の表裏面方向に所要のガタを設けている。ガタ量は基板取付部４９の加工精度、回路基板の大きさや厚み、また、前面パネルや背面パネルに設けているコネクターなどの位置精度などによってもそれぞれ異なるが、概ね回路基板の厚みの１／１０〜１／２の範囲にガタ量を設定している。この範囲のガタ量であると殆ど問題は生じない。
【０１１４】
所要のガタ量を設けたことによる効果は前述の実施形態で説明した通りであるのでここでの説明は省略する。
【０１１５】
回路基板を平置きに収納するタイプの収納ケースでは、挿入部は収納部より上側に設けるのが好ましい。挿入部が収納部より下側にあると、外れ防止手段の働きが悪くなると回路基板が収納部より外れる危険がある。
【０１１６】
実施例１では、２組の回路基板が取付けられる基板取付部材を用いた収納ケースであるが、基板取付部材は基板の組数に応じたものを用いれば良い。あるいは、１組用の基板取付部材を必要組数に応じて複数用いても良い。
【実施例２】
【０１１７】
次に、実施例２として、収納ケースを用いた電子機器装置について図１０〜図１２を用いて説明する。なお、図１０は本発明の実施例２に係る電子機器装置の外観斜視図、図１１は図１０における前面パネルの裏面側から見た斜視図、図１２は図１０における背面パネルの裏面側から見た斜視図と１組の回路基板の斜視図を示している。
【０１１８】
最初に、図１０において、実施例２の電子機器装置は計測機器に用いられる装置で、電子部品を実装した回路基板を収納した収納ケース１の前面側に前面パネル６０が装着し、背面側に背面パネル７０が装着している。収納ケース１は前述の実施形態で用いられた収納ケースと同じ仕様をなしたものを用いているので同一符号を付してある。
【０１１９】
前面パネル６０は樹脂成形によって形成されており、前記前面パネル６０は収納ケース１に対し、図示せぬネジ又はフックで固定されている。前記前面パネル６０は表面側に表示パネル６２、４個のスイッチ６３ａ、６３ｂ、６３ｃ、６３ｄを取付けている。また、裏面側には、図１１に示すように、各種の電子部品を実装した前面パネル用の回路基板６４を図示せぬネジ又はフックで固定している。回路基板６４には２個の雄コネクター６５ａ、６５ｂが実装されている。この２個の雄コネクター６５ａ、６５ｂは収納ケース１に収納した２組の回路基板の雌コネクターとそれぞれ係合するようになっている。
【０１２０】
背面パネル７０は、図１２に示すように、樹脂成形によって形成されたものからなっている。丸穴７２ａと角穴７２ｂが設けられており、ここに、回路基板２０ｂに装着されたコネクター２２が係合するようになっている。また、４箇所にフック７８が設けられており、このフック７８が収納ケース１に設けられた止め穴に係合して背面パネル７０が収納ケース１に固定されるようになっている。
【０１２１】
回路基板２０ｂは前面パネル６０の回路基板６４に設けた雄コネクター６５ｂと係合する回路基板で、この回路基板２０ｂには雌コネクター２５ｂが設けられており、また、外部から信号を取り入れるための丸形コネクター２２ａと角形コネクター２２ｂとが連設して一体となったコネクター２２が設けられている。この丸形コネクター２２ａは背面パネル７０の丸穴７２ａの部分に係合し、角形コネクター２２ｂは背面パネル７０の角穴７２ｂの部分に係合するようになっている。丸形コネクター２２ａ及び角形コネクター２２ｂには外部から直接コネクターコードでもって信号が入力される。
【０１２２】
回路基板２０ｂは前述の実施形態で述べた２組の回路基板の内の１組で、前面パネル６０の回路基板６４に設けた雄コネクター６５ｂと係合する。他の１組の回路基板は前面パネル６０の回路基板６４に設けた雄コネクター６５ａと係合するようになっている。
【０１２３】
実施例２の電子機器装置にあっては、２組の回路基板は前面パネル６０と電気的接続が図られているもので、背面パネル７０とは直接電気的接続は取っていない。また、２組の内の１組、回路基板２０ｂは前面パネル６０と背面パネル７０に係合関係があるものの、他の１組の回路基板は収納ケース１の収納部に納まった状態で前面パネル６０側とコネクターを介して係合している。
【０１２４】
前述の実施形態で説明したように、収納ケース１における２組の回路基板の差込方向のガタは最小限に抑えている。従って、前面パネル６０側の雄コネクター６５ａ、６５ｂを２組の回路基板の雌コネクターに差込んで係合させたとき、回路基板は殆ど動かないため前面パネル６０を押し込むことでスムーズな差込み係合が得られる。
また、このときに、背面パネル７０に対しては直接、力が作用しないので電気的機械的な影響は及ぼさない。前面パネル６０を取外す場合も同じで、前面パネル６０と回路基板とのコネクター同士の係合を抜いたときに背面パネル７０に力が加わらないので、背面パネル７０に電気的機械的な影響を与えない。
これは、背面パネル７０側の丸形コネクター２２ａや角形コネクター２２ｂに外部からコネクターコードを取付け取外す場合や、背面パネル７０を取付け取外す場合も同じことが云え、前面パネル６０に電気的機械的な影響は与えない。
【０１２５】
また、２組の回路基板は、表裏面方向にそれぞれ所要のガタを持っているので、回路基板側の雌コネクターと前面パネル６０側の雄コネクターとの位置ズレが有っても回路基板が動いて、前面パネル６０側の雄コネクターと回路基板側の雌コネクターの位置調整が行われてスムーズな係合が行われる。また、前面パネル６０及び背面パネル７０を取付けることにより前記所要のガタが無くなり、収納ケース１に対し回路基板が安定した状態で保持される。
【０１２６】
以上説明したように、回路基板を収納した収納ケース１に前面パネル６０、背面パネル７０を組付けるときに回路基板に触れることもなく、また、無理な力が回路基板にかかることもないので回路基板が損傷する危険はない。また、前面パネルや背面パネルに無理な力もかからないのでパネルが損傷する危険も、電気的接続が悪くなる危険もなくなる。
また、本実施例においては収納ケースの挿入開口部を背面パネル取付け側に設ける例を示したが、前面パネル取付け側に挿入開口部を設けることや、前面パネル取付け側及び背面パネル取付け側に組み合わせて設けることも可能であることは言うまでも無い。
【図面の簡単な説明】
【０１２７】
【図１】本発明の実施形態に係る収納ケースの斜視図である。
【図２】図１の収納ケースに回路基板を取付ける状態を示す斜視図である。
【図３】図１における基板取付部の拡大斜視図である。
【図４】図３における挿入部の説明図である。
【図５】図３におけるＥ−Ｅ断面図である。
【図６】回路基板の取付け状態を示す説明図で、図６の（ａ）は回路基板を挿入部に挿入した状態の説明図、図６の（ｂ）は回路基板を収納部に収納した状態の説明図である。
【図７】図１に示す基板取付部に回路基板を収納した斜視図で、１組の回路基板のみを示した部分斜視図である。
【図８】本発明の実施例１に係る収納ケースの斜視図である。
【図９】図８における基板取付部の平面図と断面図で、図９の（ａ）は平面図、図９の（ｂ）は図９の（ａ）におけるＨ−Ｈ断面図である。
【図１０】本発明の実施例２に係る電子機器装置の外観斜視図である。
【図１１】図１０における前面パネルの裏面側から見た斜視図である。
【図１２】図１０における背面パネルの裏面側から見た斜視図と１組の回路基板の斜視図である。
【図１３】特許文献１に記載された回路基板とケース体の要部を示す分解斜視図である。
【図１４】特許文献２に記載された基板収納用ラックを構成するステー部分を示す側面図である。
【符号の説明】
【０１２８】
１、３０      収納ケース
２      枠上部
２ａ、３ａ      内面
３      枠下部
３ｂ、４０ｂ      基板案内面
４      枠左側部
５      枠右側部
６、４６      挿入開口部
７、４７      対向開口部
８、９、１０、４８、４９      基板取付部
１１、５１      挿入口
１２、１３、１５、１６、１７      凸部
１２ａ、１３ａ、１５ａ、１６ａ、１７ａ、５２ａ、５３ａ、５４ａ、５６ａ、５７ａ      
壁面
１８、５８      突起部
２０、２０ｂ、６４      回路基板
２２      コネクター
２２ａ      丸形コネクター
２２ｂ      角形コネクター
２５ｂ      雌コネクター
３２      上板
３３      下板
３４、３５      側板
３７ａ、３７ｂ、３７ｃ、３７ｄ、３７ｅ、３７ｆ、３７ｇ      角材
４０      基板取付部材
６０      前面パネル
６３ａ、６３ｂ、６３ｃ、６３ｄ      スイッチ
６５ａ、６５ｂ      雄コネクター
７８      フック
７０      背面パネル
７２ａ      丸穴
７２ｂ      角穴
Ａ      挿入部
Ｂ      収納部
Ｄ      合流地点
Ｇ      傾斜面
Ｊ      凹部
【図１】
2008300654.tif 000003
【図２】
2008300654.tif 000004
【図３】
2008300654.tif 000005
【図４】
2008300654.tif 000006
【図５】
2008300654.tif 000007
【図６】
2008300654.tif 000008
【図７】
2008300654.tif 000009
【図８】
2008300654.tif 000010
【図９】
2008300654.tif 000011
【図１０】
2008300654.tif 000012
【図１１】
2008300654.tif 000013
【図１２】
2008300654.tif 000014
【図１３】
2008300654.tif 000015
【図１４】
2008300654.tif 000016